(57)【要約】【課題】  苗の植替え並びに再利用が容易な育苗具、並びに苗の成長が著しく良好で前記育苗具への使用に最適な育苗用栽培具並びに前記育苗具と前記育苗用栽培具を用いた育苗方法を提供すること。【解決手段】  上部開口型の器体１の下部を尖鋭状に形成し、この尖鋭部１Ａから器体１を地中に差し込みし得るように構成し、この器体１に苗Ｎの根２が通って器体１外へと進出可能な根進出部３を貫通形成し、この根進出部３は、少なくとも器体１の上下方向に沿った長さを有する形状に形成すると共に、器体１の上縁部を開放する形状に形成する。【選択図】      図１
2005185273.tif 000002
【特許請求の範囲】
【請求項１】
上部開口型の器体の下部を尖鋭状に形成し、この尖鋭部から器体を地中に差し込みし得るように構成し、この器体に苗の根が通って器体外へと進出可能な根進出部を貫通形成し、この根進出部は、少なくとも器体の上下方向に沿った長さを有する形状に形成すると共に、器体の上縁部を開放する形状に形成したことを特徴とする育苗具。
【請求項２】
前記根進出部は、前記器体の下端部付近にまで形成したことを特徴とする請求項１記載の育苗具。
【請求項３】
前記器体の上部に、この器体の上部開口部を閉塞する閉塞蓋を着脱開閉自在に係止し、この閉塞蓋を器体の上部から係脱することで前記根進出部の上部開放部が開放する構成としたことを特徴とする請求項１，２のいずれか１項に記載の育苗具。
【請求項４】
ロックウール製の本体に苗の種若しくは苗を収納する収納部を設け、この収納部と連設状態に苗の根が成長するための空隙部を形成し、この本体を上部開口型の育苗具内に収納し得る形状に形成したことを特徴とする育苗用栽培具。
【請求項５】
前記空隙部は、前記本体の上下方向に長さを有する構成としたことを特徴とする請求項４記載の育苗用栽培具。
【請求項６】
前記請求項１〜４のいずれか１項に記載の育苗具内に、前記請求項４，５のいずれか１項に記載の育苗用栽培具を収納した後、この育苗用栽培具の前記収納部に苗の種若しくは苗を収納するか、若しくは予め前記収納部に苗の種若しくは苗を収納した育苗用栽培具を収納して育苗し、苗が定植できる大きさにまで成長した後、この育苗具を下部の尖鋭部により定植床に敷設したビニールマルチの上からこのビニールマルチを突き破って定植床に突き刺すことで定植床に苗を植え付け、この定植床で育苗することを特徴とする育苗方法。
【発明の詳細な説明】
【技術分野】
【０００１】
本発明は、苗の植替え並びに再利用が容易な育苗具並びにこの育苗具への使用に最適な育苗用栽培具並びにこの育苗具と育苗用栽培具を用いた育苗方法に関するものである。
【背景技術】
【０００２】
出願人は、この種の育苗具として、特開２００２−１５９２２５号（特許文献１）を出願している。
【０００３】
この特許文献１を簡単に説明すると、苗と土とを収納し得る上部開口型の容体の下部を尖鋭状に形成して、この下部の尖鋭部から容体を地中に差し込みし得るように構成し、この容体に苗の根が通る大きさの貫通孔を多数散在状態に設けた構成となっている。
【０００４】
そして、この特許文献１によれば、植替えに際して、例えばビニールカップから取り出した苗をひっくり返すことなく、また苗の根域に付着した土を崩すこともなく植替えができるので、苗の葉の裏に土が付着して病害虫の発生原因となったりすることも、根痛みも生じにくいこととなり、しかも定植床へ単に容体ごと突き刺すことで植付けできるので、ビニールマルチを切り開くことも植え穴を掘ることも不要となり、その上元々容体内で育成された苗をその容体ごと植替えするために株元から土が崩れ落ちることもないから、従来のように崩れ落ちた土を補充するために株元に土をかける作業も不要となるなどの利点を有するものであった。
【０００５】
【特許文献１】特開２００２−１５９２２５号公報
【発明の開示】
【発明が解決しようとする課題】
【０００６】
この育苗具を、次年度も再利用するためには、収穫後に苗の残根を容体から抜き取っておく必要があるが、苗の根は、容体外へ１０〜２０ｃｍ程延びるまでに成長するため、上記特許文献１では、収穫後に苗の残根を容体から抜き取る際に、根が貫通孔に引っ掛かって非常に抜けにくく、この残根除去作業が非常に厄介となってしまっていた。
【０００７】
本発明は、このような現状に鑑みて改良したもので、上記した利点はそのままに、更に、再利用の準備にあたって器体より残根をスムーズに抜き取ることができる極めて実用的な育苗具を提供するものである。
【０００８】
また、出願人は、特許文献１のような従来の育苗具では、苗床として土を使用することを前提とした設計となっていたために、根進出用の貫通孔を根が通る大きさでありながら、土が崩れてこぼれ落ちたりしにくい小さめの孔とする必要があり、これが残根処理に際して根の引っ掛かりの原因となってしまっていることにも着目した。
【０００９】
そして、出願人は、育苗具に土の代替の苗床として用いることができ、しかも苗の成長が著しく良好となる画期的な育苗用栽培具を完成させた。
【００１０】
また、更に、前記育苗具と前記育苗用栽培具とを用いた画期的な育苗方法を提案するものである。
【課題を解決するための手段】
【００１１】
添付図面を参照して本発明の要旨を説明する。
【００１２】
上部開口型の器体１の下部を尖鋭状に形成し、この尖鋭部１Ａから器体１を地中に差し込みし得るように構成し、この器体１に苗Ｎの根２が通って器体１外へと進出可能な根進出部３を貫通形成し、この根進出部３は、少なくとも器体１の上下方向に沿った長さを有する形状に形成すると共に、器体１の上縁部を開放する形状に形成したことを特徴とする育苗具に係るものである。
【００１３】
また、前記根進出部３は、前記器体１の下端部付近にまで形成したことを特徴とする請求項１記載の育苗具に係るものである。
【００１４】
また、前記器体１の上部に、この器体１の上部開口部を閉塞する閉塞蓋４を着脱開閉自在に係止し、この閉塞蓋４を器体１の上部から係脱することで前記根進出部３の上部開放部３Ａが開放する構成としたことを特徴とする請求項１，２のいずれか１項に記載の育苗具に係るものである。
【００１５】
また、ロックウール製の本体５に苗の種Ｔ若しくは苗Ｎを収納する収納部６を設け、この収納部６と連設状態に苗Ｎの根２が成長するための空隙部７を形成し、この本体５を上部開口型の育苗具Ａ内に収納し得る形状に形成したことを特徴とする育苗用栽培具に係るものである。
【００１６】
また、前記空隙部７は、前記本体５の上下方向に長さを有する構成としたことを特徴とする請求項４記載の育苗用栽培具に係るものである。
【００１７】
また、前記請求項１〜４のいずれか１項に記載の育苗具Ａ内に、前記請求項４，５のいずれか１項に記載の育苗用栽培具Ｂを収納した後、この育苗用栽培具Ｂの前記収納部６に苗の種Ｔ若しくは苗Ｎを収納するか、若しくは予め前記収納部６に苗の種Ｔ若しくは苗Ｎを収納した育苗用栽培具Ｂを収納して育苗し、苗Ｎが定植できる大きさにまで成長した後、この育苗具Ａを下部の尖鋭部１Ａにより定植床８に敷設したビニールマルチ９の上からこのビニールマルチ９を突き破って定植床８に突き刺すことで定植床８に苗Ｎを植え付け、この定植床８で育苗することを特徴とする育苗方法に係るものである。
【発明の効果】
【００１８】
本発明は上述のように構成したから、上記特許文献１と同様の秀れた作用効果を奏する上、再利用の準備にあたって器体より残根をスムーズに抜き取ることができ、しかも、本発明は、従来品に対して、単に根進出部を、少なくとも器体の上下方向に沿った長さを有する形状に形成すると共に、器体の上縁部を開放する形状に形成するだけで構成できるため、さほどの構造変更を要せず、簡易に設計実現可能となるなど、極めて実用性に秀れた画期的な育苗具となる。
【００１９】
また、請求項２記載の発明においては、根進出部の形成範囲が広いために、多数の根が良好に器体外の定植床へと進出して根付くことが可能となり、これにより苗の生育が極めて良好となる一層実用性に秀れた構成の育苗具となる。
【００２０】
また、請求項３記載の発明においては、器体の上縁部を開放する根進出部によって生じる器体の強度不足を閉塞蓋を係止することによって解消することができ、これにより器体を定植床へ突き刺す際に器体が変形して苗や根を痛めることを防止できる一層実用性に秀れた構成の育苗具となる。
【００２１】
また、請求項４記載の発明においては、上述のように構成したから、土（苗床）に代えて使用すると、単に収納部に苗の種若しくは苗を収納するだけで種の発芽も苗の生育も非常に良好に促進されると共に、根の生育も良好に促進されることになり、しかも、土のように崩れることがないから、前記請求項１〜３のいずれか１項に記載の育苗具に収納して使用するに最適となるなど、極めて実用性に秀れた画期的な育苗用栽培具となる。
【００２２】
また、請求項５記載の発明においては、根量の多い丈夫な苗を生育することが可能となる一層実用性に秀れた育苗用栽培具となる。
【００２３】
また、請求項６記載の発明においては、上述のように、本発明の育苗具に育苗用栽培具を収納して、この育苗用栽培具で育苗するから、植付け（植替え）が非常に簡単に行われて作業性が向上する上、苗の生育が極めて良好となるため、収穫量の増大や収穫物の品質の向上などが大いに期待できることになるなど、極めて実用性に秀れた画期的な育苗方法となる。
【発明を実施するための最良の形態】
【００２４】
好適と考える本発明の実施形態（発明をどのように実施するか）を、図面に基づいて本発明の作用を示して簡単に説明する。
【００２５】
本発明の育苗具Ａたる器体１内に種Ｔを収納して発芽させるか若しくは苗Ｎを収納して生育し、苗Ｎを器体１内で定植できる大きさにまで成長させる。
【００２６】
この際、例えば、本発明の育苗用栽培具Ｂ（ロックウール製の綿菓子状培地Ｂ）を土の代わりに育苗具Ａ内に収納し、この育苗用栽培具Ｂの収納部６に種Ｔ若しくは苗Ｎを収納しておくと、ロックウール製の綿菓子状培地Ｂは、非常に通気性が良く保湿性も高いために種Ｔの発芽も苗Ｎの生育も促進されると共に、根２の生育も促進される。また、この際、本発明の育苗用栽培具Ｂは、根２が成長するための空隙部７を収納部６と連設状態に形成したから、根２の成長の妨げがなく、空隙部７内で根２が良好に生育し、多量の根を有する丈夫な苗Ｎを生育可能となる。従って、単に収納部６に苗の種Ｔ若しくは苗Ｎを収納するだけで育苗できる。
【００２７】
従って、育苗具Ａ内に土を収納して育苗する場合に比べて苗Ｎの生育状態が非常に良好となり、定植までに要する生育期間も短縮することになる。
【００２８】
また、本発明の育苗具Ａは、根進出部３が器体１の上下方向に沿った長さを有し、且つ器体１の上縁部を開放する形状であるため、育苗具Ａ内に土を収納して苗床とすると、この上下に長い根進出部３から土が崩れ落ちてしまう可能性があるが、ロックウール製の育苗用栽培具Ｂを土に代えて使用することで、このような問題は全く生じない。
【００２９】
次いで、定植できる大きさの苗Ｎを収納した器体１を、下部の尖鋭部１Ａにより定植床８に敷設したビニールマルチ９の上からこのビニールマルチ９を突き破って器体１を定植床８に突き刺すことで、定植床８に苗Ｎを植え付けする。
【００３０】
従って、特許文献１と同様に、ビニールマルチ９を切り開くことも植え穴を掘ることも不要で、単に定植床８へ器体１ごと突き刺すことだけで非常に容易に苗Ｎの植付け（植替え）作業が完了する。
【００３１】
その後、苗Ｎの成長に伴い、少なくとも器体１の上下方向に沿った長さを有する形状の根進出部３を介して根２が器体１外の定植床８に及ぶことになり、この器体１が苗Ｎ（根２）の成長の妨げとなることはない。
【００３２】
尚、育苗用栽培具Ｂを使用した場合においても、この育苗用栽培具Ｂは繊維状（綿菓子状）であるために根２は育苗用栽培具Ｂ内を通って器体１外へと進出することができ、根２の成長が妨げられることはない。更に、育苗用栽培具Ｂ内に根２がくまなく根付くことで、苗Ｎの植付け状態が強固な安定状態となる上、上記したようにこの育苗用栽培具Ｂ内では根２の生育が非常に良いため、この安定植付け状態が容易に得られるなど、良好な育苗環境が実現することになる。
【００３３】
従って、本発明の育苗具Ａと育苗用栽培具Ｂとを使用した育苗方法によれば、植付け（植替え）が非常に簡単に行われる上、苗の生育が極めて良好となるため、収穫量の増大や収穫物の品質の向上などが大いに期待できることになる。
【００３４】
収穫後は、次年度の再利用のために、器体１の上部開口部から苗Ｎの残根２を抜き取って本育苗具Ａを保管しておくが、この際、本発明においては、根進出部３を介して器体１の外方に突出している苗Ｎの残根２が、器体１の上縁部を開放する形状の根進出部３によって上方へ抵抗なく移動し、抜き取られる。
【００３５】
従って、上記特許文献１にあっては、容体の外方へ突出する残根が貫通孔に引っ掛かって非常に抜けにくかったが、本発明の育苗具Ａにおいては、器体１から残根２を上方へスムーズに抜き取ることができるので、この残根２除去作業を非常に簡単に行うことができ、次年度に向けた育苗具Ａの再利用に備えることが容易に可能となる。
【００３６】
また、例えば、前記根進出部３は、前記器体１の下端部付近にまで形成すれば、器体１の上縁部を開放し且つ器体１の下端部付近にまで長く広く貫通形成されている根進出部３を通って、多数の根２が良好に器体１外の定植床８へと進出して根付くことができるので、苗Ｎの生育が極めて良好に行われることになる。
【００３７】
また、例えば、前記器体１の上部に、この器体１の上部を閉塞する閉塞蓋４を着脱開閉自在に係止し、この閉塞蓋４を器体１の上部から係脱することで前記根進出部３の上部開放部３Ａが開放する構成とすれば、器体１の上縁部を開放する根進出部３によって強度不足を生じる懸念のある器体１上部に対して、閉塞蓋４を係止することによって強度の向上を図ることができ、これにより器体１の保形強度が増すので、器体１を定植床８へ突き刺す際に器体１が変形して苗Ｎや根２を痛めることを防止できることになる。
【００３８】
また、例えば、育苗用栽培具Ｂの前記空隙部７は、前記本体５の上下方向に長さを有する構成とすれば、先ず、苗Ｎの根（主根）２が育苗用栽培具Ｂ内を迷走することなく、空隙部７に沿って上下方向に延びて良好に生育することになり、そしてこの長さのある主根２から更に多数の根（側根）２が側方へと延びて成長することになるため、根２を多量に確保した丈夫な苗Ｎを生育することが可能となる。
【実施例】
【００３９】
本発明の具体的な実施例について図面に基づいて説明する。
【００４０】
先ず、本実施例の育苗具Ａを説明する。
【００４１】
上部開口型の器体１の下部を尖鋭状に形成し、この尖鋭部１Ａから器体１を地中に差し込みし得るように構成している。
【００４２】
具体的に説明すると、この器体１は、図１，図２に示すような中空体に形成している。
【００４３】
更に説明すると、上方から見て断面四角形状の中空体であって、上部から下部寄りまでを緩やかに下方へ行く程先細る中空の四角錐形状とし、下部寄りから下端までを急激に下方へ行く程先細る中空の四角錐形状とし、この急激に先細る器体１の下部を前記尖鋭部１Ａとしている。
【００４４】
また、この器体１は、この器体１内で定植時期まで苗Ｎを成長させることができる縦長形状に形成している。即ち、器体１内で苗Ｎの根２が伸びることを考慮して器体１を縦長形状に形成している。
【００４５】
本実施例は、この器体１に苗Ｎの根２が通って器体１外へと進出可能な根進出部３を貫通形成している。
【００４６】
この根進出部３は、器体１の長さ（上下）方向に沿った長さを有する縦長の貫通窓とし、この根進出部３の上部は器体１の上縁部にまで達してこの根進出部３の存する器体１の上縁部は開放状態となるように形成し、下部は器体１の下端部付近にまで形成している。即ち、この根進出部３は、上部開放部３Ａを有し、略器体１と同等の上下長さを有する形状に形成している。
【００４７】
また、この根進出部３は、略四角錐形を呈する器体１の四側面の各面に一箇所ずつ形成し、更に各根進出部３は、隣接する角部付近に至るまで横幅を広く確保している。
【００４８】
即ち、言い換えると、器体１は、下端の中心部から等角度ごとに四本の枠杆１Ｂが上方へ突設して前記形状を形作っており、この四本の枠杆１Ｂ間の広く開口する空隙を前記根進出部３とし、多数の根２がこの広く開口する根進出部３を介して器体１外の定植床８に進出できるように構成している。
【００４９】
また、本実施例では、前記器体１の上部に、この器体１の上部を閉塞する閉塞蓋４を着脱開閉自在に係止し、この閉塞蓋４を器体１の上部から係脱することで前記根進出部３の上部が開放する構成としている。
【００５０】
具体的には、閉塞蓋４は、器体１の上部の横断面形状（四角形状）よりもやや大きめな方形板を採用して構成している。
【００５１】
また、この閉塞蓋４の器体１上部への着脱係止構造は、前記各枠杆１Ｂの上端部が嵌合係止する嵌合孔４Ａを閉塞蓋４の下面の四隅に形成し、この各嵌合孔４Ａに前記各枠杆１Ｂの上端部を嵌合係止することで、器体１上部に閉塞蓋４が装着されて器体１の上部開口部が閉塞する構造としている。
【００５２】
また、この閉塞蓋４を器体１の上部に嵌合係止することで器体１の各枠杆１Ｂに対して保形作用が得られるので、器体１の強度が向上し、これにより器体１の尖鋭部１Ａを定植床８に突き刺す際にも、器体１が変形しにくい構成としている。
【００５３】
また、この閉塞蓋４には、所定の一外縁から閉塞蓋４中心に向かって切欠４Ｂを形成し、この切欠４Ｂを介して苗Ｎの茎を閉塞蓋４の上方へ露出させる構成としている。
【００５４】
また、本実施例では、器体１の上部に吊り紐を着脱自在に係止する掛止部10を設けている。
【００５５】
具体的には、前記各根進出部３のうちの所定の一箇所に立設杆10Ａを形成し、この立設杆10Ａは、前記各枠杆１Ｂよりも上方へ高く突出する形状に形成している。
【００５６】
そして、この前記各枠杆１Ｂよりも上方へ高く突出する立設杆10Ａの上部に掛止部10を形成している。
【００５７】
更に説明すると、所定の隣接する二本の枠杆１Ｂの下部寄り間に横杆を一体的に形成し、この横杆の中央部に前記立設杆10Ａを一体的に形成している。また、この立設杆10Ａの上部の左右縁部に夫々Ｖ字状の切欠溝を形成してこの切欠溝を掛止部10とし、このＶ字状に先細る掛止部10の先細部に吊り紐を喰い込ませて強固に係止できるように構成している。
【００５８】
また、器体１の上部に前記閉塞蓋４を装着する際には、前記切欠４Ｂの端部にこの立設杆10Ａが位置するようにして装着することで立設杆10Ａが閉塞蓋４装着の邪魔とならない構成としている。
【００５９】
また、本実施例の育苗具Ａを構成する器体１は、例えば、樹脂で一体成形することが可能な構成であり、このような製造法を行うことで量産性を確保できる。
【００６０】
次に、本実施例の育苗用栽培具Ｂを説明する。
【００６１】
ロックウール製の本体５に苗の種Ｔ若しくは苗Ｎを収納する収納部６を設け、この収納部６と連設状態に苗Ｎの根２が成長するための空隙部７を形成し、この本体５を上部開口型の器体１内に収納し得る形状に形成している。
【００６２】
具体的には、本体５は、図２に示すような棒状体であって、前記育苗具Ａ内に上方から挿入して収納した際、育苗具Ａ内に略丁度嵌合して位置ズレやガタつきを生じにくい形状に形成している。
【００６３】
即ち、上部から下部寄りまでが緩やかに下方へ行く程先細る略四角錐形状で、下部寄りから下端までが急激に下方へ行く程先細る略四角錐形状となる棒状体に構成している。尚、図中符号５Ａはこの本体５（育苗用栽培具Ｂ）を前記育苗具Ａ内に収納した際に、前記立設杆10Ａを逃げる逃溝である。
【００６４】
本実施例では、図３に示すように、この本体５の上面中心から下方へ垂下する円柱状の垂下穴を形成し、この垂下穴内を前記空隙部７としている。
【００６５】
即ち、本実施例の空隙部７は、本体５の上下方向に長さを有する形状に形成している。
【００６６】
また、この空隙部７内であって、この空隙部７の上部開口部よりやや下方位置に、空隙部７（垂下穴）の対向内面間に架け渡し状態にして前記収納部６を形成し、この収納部６に苗の種Ｔを収納し得るように構成している。
【００６７】
更に説明すると、空隙部７（垂下穴）の中心を通るようにして対向内面間にロックウール製の棒状体を架け渡し形成し、この棒状体の中央部を凹状に屈曲形成してこの凹部を種Ｔを収納するための種置き部６Ａ（収納部６）としている。
【００６８】
また、この空隙部７には、この空隙部７と連設状態にして側方へ延設する円柱孔状の根誘導空隙７Ａを多数形成し、この根誘導空隙７Ａから側方へ根（側根）２が多数伸びていき易い構成としている。
【００６９】
また、図４，図５は、育苗用栽培具Ｂの別実施例を示している。
【００７０】
図４の別実施例を説明すると、例えば、市販のビニールポット付きの苗Ｎを、ビニールポットを取り去ってそのまま苗Ｎの根域部分を収納できる収納部６を設けた場合である。
【００７１】
具体的には、本体５の上部に径大で浅底な孔を形成してこの径大孔を収納部６としている。
【００７２】
また、この別実施例では、収納部６の下部の数箇所に円柱状の垂下穴を形成してこの垂下穴を収納部６と連設する空隙部７としている。
【００７３】
従って、この別実施例は、市販のビニールポット付きの苗Ｎなどを育苗する場合に非常に適した構成である。
【００７４】
また、図５の別実施例を説明すると、種置き部６Ａを本体５の下方に設けた場合である。
【００７５】
具体的には、図３の実施例において、空隙部７の下端を平坦面とし、この下端の平坦面を種置き部６Ａとしている。
【００７６】
この別実施例によると、種置き部６Ａに種Ｔを置くと、種Ｔの下方に発根すると共に、上方の空隙部７へ茎が伸びるが、この空隙部７内に存する茎部（下胚軸）からも発根することが確認されている。即ち、この別実施例によれば、図３の実施例で育苗した場合に比べて発根量を多く確保することが可能となり、根量不足による各種栄養素の吸収不足で起因する障害を克服するために用いる各種薬剤，農薬の使用を減らすことができる。
【００７７】
尚、この図４，図５の別実施例は、いずれも根誘導空隙７Ａを形成していない場合を示している。
【００７８】
次に、本実施例の育苗具Ａと育苗用栽培具Ｂを使用した育苗方法を説明する。
【００７９】
育苗具Ａ（器体１）内に育苗用栽培具Ｂを収納し、この育苗用栽培具Ｂの収納部６に種Ｔを収納して発芽させるか若しくは苗Ｎを収納して生育し、この苗Ｎを器体１内で定植できる大きさにまで成長させる。尚、もちろん、予め収納部６に種Ｔ若しくは苗Ｎを収納しておいた育苗用栽培具Ｂを育苗具Ａに収納する順番でも良い。
【００８０】
この際、ロックウール製の育苗用栽培具Ｂ（綿菓子状培地Ｂ）は、非常に通気性が良く保湿性も高いために種Ｔの発芽も苗Ｎの生育も促進されると共に、根２の生育も促進される。また、この際、根２が成長するための空隙部７を収納部６と連設状態に形成したから、根２の成長の妨げがなく、空隙部７内で根２（特に主根２）が良好に生育することになる。
【００８１】
また、この際、育苗具Ａを育苗床（土）に突き刺して育苗しても良いし、例えば、図６に示すように、専用の育苗トレー12を使用して育苗しても良い。尚、育苗具Ａを育苗床に突き刺す場合には、閉塞蓋４を器体１上部開口部に装着して器体１の変形防止を図るが、例えば、本実施例の育苗トレー12などを使用することによって地上（地中以外）での育苗を採用する場合には、この段階では、閉塞蓋４を装着しなくても良い。
【００８２】
この図６に示す育苗トレー12並びに、この育苗トレー12への育苗具Ａの設置構造を簡単に説明すると、育苗具Ａを斜設状態にして立て掛け設置しておくことができる傾斜面12Ａを備えている。図示していないが、横長の広い傾斜面12Ａを有する育苗トレー12に構成し、この広い傾斜面12Ａに育苗具Ａを多数に立て掛け設置して育苗できるようにしている。
【００８３】
また、この傾斜面12Ａには、傾斜面12Ａに対して直角に突出する受片部12Ｂをこの傾斜面12Ａの傾斜方向に間隔を置いて複数並設形成している。
【００８４】
一方、この育苗トレー12対応用の機能として、育苗用栽培具Ｂの側面には、前記根進出部３より器体１外へ露出し、前記受片部12Ｂに係止し得る係止突起５Ｂを受片部12Ｂの並設間隔に対応する間隔を置いて上下並設状態にして一体的に形成している。また、この係止突起５Ｂは、育苗用栽培具Ｂを育苗具Ａ内に収納した際に、前記根進出部３から器体１外へ突出するように本体５への形成位置を設定している。
【００８５】
そして、この各係止突起５Ｂを各受片部12Ｂに係止することで傾斜面12上に育苗具Ａを設置し育苗できるように構成している。
【００８６】
また、この育苗トレー12と、係止突起５Ｂを備えた育苗用栽培具Ｂを使用することで、簡単に潅水を行うことが可能である。即ち、傾斜面12Ａの上部から水を流すだけで、各受片部12Ｂに水が溜まり、この溜まった水が前記係止突起５Ｂに浸透して本体５全域に水分が供給されることになる構成としている。特に長さ（高さ）のある育苗用栽培具Ｂを使用する場合、ロックウールは垂直方向の水分保持力が１０ｃｍ程度であるため、育苗用栽培具Ｂ全体に適正な水分含有量を維持するためにもこのような構成の育苗トレー12は有効である。
【００８７】
次いで、閉塞蓋４を未装着の場合には閉塞蓋４を装着し、定植できる大きさの苗Ｎを収納した器体１を、下部の尖鋭部１Ａにより定植床８に敷設したビニールマルチ９の上からこのビニールマルチ９を突き破って器体１を定植床８に突き刺すことで、定植床８に苗Ｎを植え付けする。
【００８８】
従って、特許文献１と同様に、ビニールマルチ９を切り開くことも植え穴を掘ることも不要で、単に定植床８へ器体１ごと突き刺すことだけで非常に容易に苗Ｎの植付け（植替え）作業が完了する。
【００８９】
その後、苗Ｎの成長に伴い、少なくとも器体１の上下方向に沿った長さを有する形状の根進出部３を介して根２が器体１外の定植床８に及ぶことになり、この器体１が苗Ｎ（根２）の成長の妨げとなることはない。
【００９０】
また、育苗用栽培具Ｂは繊維状（綿菓子状）であるために、空隙部７及び根誘導空隙７Ａの主根２、側根２から伸びる副主根２副側根２は育苗用栽培具Ｂ内を通って器体１外へと進出することができ、根２の成長が妨げられることはない。更に、育苗用栽培具Ｂ内に根２がくまなく根付くことで、苗Ｎの植付け状態が強固な安定状態となる上、上記したようにこの育苗用栽培具Ｂ内では根２の生育が非常に良いため、この安定状態が容易に得られ、苗Ｎの成長には最適な環境となる。
【００９１】
また、例えば、メロンやトマトなどの吊り紐に巻き付けて栽培する作物の栽培には、前記掛止部10に吊り紐の一端を掛止し、他端を上方の適当な箇所（例えばビニールハウス天井に張り巡らしたワイヤーなど）に掛止することで、従来のように茎に直接吊り紐を縛り付けなくとも良いので、吊り紐の設置作業をきわめて容易に行うことができるし、苗Ｎの茎を傷つけることもない。
【００９２】
尚、収穫後は、苗Ｎの残根２を器体１から抜き取って本育苗具Ａを保管しておくことで、次年度も再利用することができるが、この際、根進出部３を介して器体１の外方に突出している苗Ｎの残根２が、器体１の上縁部を開放する形状の根進出部３によって上方へ抵抗なく移動し、抜き去られることになる（図７参照）。
【００９３】
従って、本実施例の育苗具Ａにおいては、器体１から残根２を上方へスムーズに抜き取ることができるので、この残根２除去作業を非常に簡単に行うことができ、次年度に向けた育苗具Ａの再利用に備えることが容易に可能となる。
【００９４】
尚、本発明は、本実施例に限られるものではなく、各構成要件の具体的構成は適宜設計し得るものである。
【図面の簡単な説明】
【００９５】
【図１】本実施例の使用状態を示す斜視図である。
【図２】本実施例の説明分解斜視図である。
【図３】育苗用栽培具を収納した器体を定植床に突き刺し、定植床に苗を突き刺した状態を示す閉塞蓋を省略した説明図である。
【図４】育苗用栽培具の別実施例を示す使用状態図である。
【図５】育苗用栽培具の他の別実施例を示す使用状態図である。
【図６】育苗用栽培具を収納した器体を育苗トレーで育苗した状態を示す説明図である。
【図７】器体から育苗用栽培具ごと残根を抜き取った状態を示す説明図である。
【符号の説明】
【００９６】
１  器体
１Ａ  尖鋭部
２  根
３  根進出部
３Ａ  上部開放部
４  閉塞蓋
５  本体
６  収納部
７  空隙部
８  定植床
９ビニールマルチ
Ａ  育苗具
Ｂ  育苗用栽培具
Ｎ  苗
Ｔ  種
【図１】
2005185273.tif 000003
【図２】
2005185273.tif 000004
【図３】
2005185273.tif 000005
【図４】
2005185273.tif 000006
【図５】
2005185273.tif 000007
【図６】
2005185273.tif 000008
【図７】
2005185273.tif 000009